(57)【要約】 【課題】  本発明は、リールの始動時及び停止時においてリールの面揺れを抑制させることができる。【解決手段】  本発明は、ステッピングモータ４９の回転を所定の減速比をもってリール３に伝達する入力側ギヤ７２と、ステッピングモータ４９により入力側ギヤ７２を介して駆動され、入力側ギヤ７２と一体に形成されたリール３と、リール３を回転可能に支持する回転軸支部７６ａとを備えるモータ駆動装置であって、回転軸支部７６ａの一端には回転軸支部７６ａの長手方向に対して垂直方向に壁体部７６ｅが形成されており、回転軸支部７６ａの他端には回転可能に支持されたリール３を壁体部７６ｅに向けて押圧する押圧部７４０を備える。【選択図】      図４
2005143833.tif 000002
【特許請求の範囲】
【請求項１】
モータの回転を所定の減速比をもってリールに伝達する減速ギヤと、前記モータにより前記減速ギヤを介して駆動され、該減速ギヤと一体に形成されたリールと、前記リールを回転可能に支持する支持部とを備えるモータ駆動装置であって、
前記支持部の一端には該支持部の長手方向に対して垂直方向に壁体部が形成されており、
前記支持部の他端には回転可能に支持された前記リールを前記壁体部に向けて押圧する押圧手段を備えることを特徴とするモータ駆動装置。
【請求項２】
前記押圧手段は、前記リール又は前記減速ギアの一部と接触する第一接触部材と、前記第一接触部材を介して回転可能に支持された前記リールを前記壁体部に向けて押圧する壁体押圧部材とを備えることを特徴とする請求項１に記載のモータ駆動装置。
【請求項３】
前記第一接触部材の外径は前記壁体押圧部材の外径よりも大きいことを特徴とする請求項２に記載のモータ駆動装置。
【請求項４】
前記減速ギヤの一端には前記壁体部と接触する第二接触部材が形成されていることを特徴とする請求項１に記載のモータ駆動装置。
【請求項５】
前記押圧手段は、前記リール又は前記減速ギアの一部と接触する第一接触部材と、前記第一接触部材を介して回転可能に支持された前記リールを前記壁体部に向けて押圧する壁体押圧部材とを備えており、
前記第二接触部材及び前記壁体部の外径は、前記壁体押圧部材の外径よりも大きいことを特徴とする請求項４に記載のモータ駆動装置。
【発明の詳細な説明】
【技術分野】
【０００１】
本発明は、複数の図柄を表示したリールの駆動源としてのモータを備えるモータ駆動装置に関する。
【背景技術】
【０００２】
従来より、回胴式遊技機（例えば、パチスロ遊技機）用のモータ駆動装置では、リールに配備された中心路に支持軸が挿入されている。このリールと一体に形成されたギヤを通じてステッピングモータの回転トルクがリールに伝達されることにより、リールは支持軸を中心として回転する。このモータ駆動装置によれば、ギヤが間接的にステッピングモータの回転トルクをリールに伝達することにより、モータ駆動装置は、ステッピングモータの駆動軸が直接リールの中心路に圧入されている直動式のモータ駆動装置（例えば、特許文献１参照）よりも、ステッピングモータに大きな負荷を掛けないようにすることができる。
【特許文献１】特開平１０−７１２４０号公報
【発明の開示】
【発明が解決しようとする課題】
【０００３】
しかしながら、リールの中心路の内径が支持軸の外径よりも大きくなければ、リールは支持軸を中心として回転しないため、リールと支持軸との間にはある程度のガタが存在する。このため、当該ガタが大きくなればなる程、リールの始動時及び停止時においてリールが遊技者から見て左右に揺れる面揺れが生じるという問題があった。
【０００４】
そこで、本発明は上記問題を解決すべくなされたものであり、リールの始動時及び停止時においてリールの面揺れを抑制させることのできるモータ駆動装置を提供することを課題とする。
【課題を解決するための手段】
【０００５】
本願に係る発明は、上記課題を解決するために、モータの回転を所定の減速比をもってリールに伝達する減速ギヤ（例えば、入力側ギヤ７２）と、モータにより減速ギヤを介して駆動され、減速ギヤと一体に形成されたリール（例えば、リール３）と、リールを回転可能に支持する支持部（例えば、回転軸支部７６ａ）とを備えるモータ駆動装置であって、支持部の一端には支持部の長手方向に対して垂直方向に壁体部（例えば、壁体部７６ｅ）が形成されており、支持部の他端には回転可能に支持されたリールを壁体部に向けて押圧する押圧手段（例えば、押圧部７４０）を備えることを特徴とする。
【０００６】
このような本発明によれば、支持部の一端には支持部の長手方向に対して垂直方向に壁体部が形成されており、支持部の他端には回転可能に支持されたリールを壁体部に向けて押圧する押圧手段が備えられることにより、押圧手段がリールの側方からリールを押圧する力を加えるため、モータ駆動装置は、リールの始動時及び停止時においてリールの面揺れ（遊技者から見てリールが左右に揺れること）を抑制させることができる。
【０００７】
上記発明においては、押圧手段は、リール又は減速ギアの一部と接触する第一接触部材（例えば、カラー７４ｂ）と、第一接触部材を介して回転可能に支持されたリールを壁体部に向けて押圧する壁体押圧部材（例えば、バネ７５）とを備えることが好ましい。この場合には、リール又は減速ギアの一部と接触する第一接触部材と、第一接触部材を介して回転可能に支持されたリールを壁体部に向けて押圧する壁体押圧部材とが押圧手段に備えられることにより、第一接触部材がリール又は減速ギヤに接触された状態で、壁体押圧部材が当該第一接触部材を介してリールの側方からリールを押圧するため、モータ駆動装置は、リールの始動時及び停止時においてリールの面揺れをより抑制させることができる。
【０００８】
上記発明においては、第一接触部材の外径は壁体押圧部材の外径よりも大きいことが好ましい。この場合には、第一接触部材の外径が壁体押圧部材の外径よりも大きいことにより、壁体押圧部材がリールの中心軸に向けてリールを押圧するとともに、当該壁体押圧部材よりも大きい第一接触部材がリール又は減速ギヤと接触するため、始動時又は停止時におけるリールの安定性が更に増し、モータ駆動装置は、リールの始動時及び停止時においてリールの面揺れをより抑制させることができる。
【０００９】
上記発明においては、減速ギヤの一端には壁体部と接触する第二接触部材（例えば、接触部材７２１ｂ）が形成されていることが好ましい。この場合には、減速ギヤの一端には壁体部と接触する第二接触部材が形成されていることにより、壁体部と第二接触部材とが常に接触しているため、始動時及び停止時におけるリールの安定性が更に増し、モータ駆動装置は、リールの始動時及び停止時においてリールの面揺れをより抑制させることができる。
【００１０】
上記発明においては、押圧手段は、リール又は減速ギアの一部と接触する第一接触部材と、第一接触部材を介して回転可能に支持されたリールを壁体部に向けて押圧する壁体押圧部材とを備えており、第二接触部材及び壁体部の外径は、壁体押圧部材の外径よりも大きいことが好ましい。
【００１１】
この場合には、第二接触部材及び壁体部の外径が壁体押圧部材の外径よりも大きいことにより、壁体押圧部材からの力が当該壁体押圧部材よりも大きい第二接触部材及び壁体部で受けられるため、始動時及び停止時におけるリールの安定性が更に増し、モータ駆動装置は、リールの始動時及び停止時においてリールの面揺れをより抑制させることができる。
【発明の効果】
【００１２】
本発明によれば、リールの始動時及び停止時においてリールの面揺れを抑制させることができる。
【発明を実施するための最良の形態】
【００１３】
（モータ駆動装置の基本構成）
本実施形態に係るモータ駆動装置について図面を参照しながら説明する。図１は、本実施形態に係る回胴式遊技機１の外観図である。
【００１４】
図１に示すように、回胴式遊技機１の全体を形成しているキャビネットの正面には、３個のパネル表示窓５Ｌ，５Ｃ，５Ｒが形成されている。リールユニットを形成するリール３Ｌ，３Ｃ，３Ｒは、これらのパネル表示窓５Ｌ，５Ｃ，５Ｒを通じて視認される。また、パネル表示窓５Ｌ，５Ｃ，５Ｒには、横方向に３本及び斜め方向に２本の入賞ライン６が記されており、投入口４から投入されるコインの枚数に応じて有効化される入賞ライン６の本数が決定される。
【００１５】
遊技者が投入口４にコインを投入し、スタートレバー９を操作することにより、各リール３Ｌ，３Ｃ，３Ｒは回転を開始する。そして、各リール３Ｌ，３Ｃ，３Ｒに対応して設けられた停止ボタン７Ｌ，７Ｃ，７Ｒを遊技者が押下すことにより、各リール３Ｌ，３Ｃ，３Ｒの回転は停止する。この回転停止時に各パネル表示窓５Ｌ，５Ｃ，５Ｒを通じて視認される各リール３Ｌ，３Ｃ，３Ｒのシンボルの組合せにより、入賞態様が決定され、入賞時にはその入賞態様に応じた枚数のコイン数がトレイ８から払い出される。
【００１６】
図２は、各パネル表示窓５Ｌ，５Ｃ，５Ｒの内部に設けられたリールユニットの構成を示す斜視図である。図２に示すように、リールユニットは、３枚の取付板８０Ｌ，８０Ｃ，８０Ｒと、この各取付板８０Ｌ，８０Ｃ，８０Ｒの内側に配置された３個のリール３Ｌ，３Ｃ，３Ｒと、リール３Ｌ，３Ｃ，３Ｒを個々に回転駆動する３個のＰＭ型のステッピングモータ４９Ｌ，４９Ｃ，４９Ｒとを具備する。
【００１７】
なお、以下では、説明の都合上、３個のリール３Ｌ，３Ｃ，３Ｒと、３枚の取付板８０Ｌ，８０Ｃ，８０Ｒと、３個のステッピングモータ４９Ｌ，４９Ｃ，４９Ｒとのうち、右側にあるリール３Ｌ（単に「リール３」と略す）、取付板８０Ｌ（単に「取付板８０」と略す）、ステッピングモータ４９Ｌ（単に「ステッピングモータ４９」と略す）に限定して説明するが、特に断りのない限り他の各リール３Ｃ，３Ｒ、各取付板８０Ｃ，８０Ｒ、各ステッピングモータ４９Ｃ，７０Ｒについても同様の構成となっている。
【００１８】
図３は、リール３の右側面を示す図である。図３に示すように、取付板８０（図示せず）には、リール３の回転半径ｒ１内に、リール３の回転位置を検出するためのリール位置検出回路としての位置検出センサ１０が設けられている。リール３は、リール３の中心が、取付板８０の面から垂直に向かって延びたリールポスト７６に回転可能に軸支されている（図４参照）。
【００１９】
このリール３は、図３に示すように、その中心から放射状に延びた６本のアーム３２１と、各アーム３２１の延長方向の先端がわたるように一体的に形成された筒状部材３６とから構成されている。このアーム３２１の１つには、位置検出センサ１０により検出可能な位置に、基準位置としての検出片１１が設けられている。この検出片１１は、リール３が１回転するごとに、位置検出センサ１０を通過するように配置されている。そして、位置検出センサ１０は、検出片１１が通過して検出片１１を検出する度に、検出信号を出力可能に形成されている。
【００２０】
ステッピングモータ４９の駆動軸とリール３の回転軸との間には、図３に示すように、減速伝達機構７００が配設されている。この減速伝達機構７００は、ステッピングモータ４９の回転を所定の減速比をもって、リール３を回転させる回転軸に伝達するものである。
【００２１】
この減速伝達機構７００は、図３に示すように、ステッピングモータ４９の駆動側に設けられた出力側ギヤ７１と、この出力側ギヤ７１に接触するとともに、リール３の支持軸と同一の軸心となるようにリール３に配設された入力側ギヤ７２との二つのギヤを備えている。
【００２２】
上記出力側ギヤ７１と入力側ギヤ７２との歯車の比（減速比）は、ステッピングモータ４９の１回転のステップ数と、リール３に表示した図柄の個数とステッピングモータ４９の１回転のステップ数から算出した最小公倍数との比から求められる。
【００２３】
図４（ａ）は、リール３を回転可能に軸支する軸支部７２０の構造を示す図である。図４（ｂ）は、取付板８０に取り付けられた軸支部７２０でリール３を軸支する構造を示す断面図である。図５は、軸支部７２０でリール３を軸支する構造を示す全体の断面図である。
【００２４】
図４（ａ）に示すように、軸支部７２０は、止め具材７３と、押圧部７４０と、リールポスト７６とを備える。リールポスト７６には、入力側ギヤ７２を挿入して回転可能に軸支する回転軸支部７６ａと、リール３の位置を固定するための部材を挿入するための位置固定部７６ｂと、リールポスト７６の底面から取付板８０に向かって突出され、取付板８０の穴８１に挿嵌される突出部７６ｃと、リールポスト７６を取付板８０にネジで固定するためのネジ穴７６ｄと、回転軸支部７６ａの一端に形成され、回転軸支部７６ａの長手方向に対して垂直方向に形成された壁体部７６ｅと、押圧部７４０を介して入力側ギヤ７２を止め具材７３（例えば、ネジ）で抜き止めするための止め穴７６ｆとを備える。
【００２５】
押圧部７４０は、回転軸支部７６ａの他端に配備され、当該回転軸支部７６ａに回動可能に支持されたリール３を壁体部７６ｅに向けて押圧する押圧手段であり、本実施形態では、カラー７４ａ，７４ｂと、押圧部材７５とを備える。
【００２６】
カラー７４ａ，７４ｂは、押圧部材７５を適正な位置に固定する部材である。また、カラー７４ｂは、リール３又は入力側ギヤ７２の一部と接触する第一接触部材である。
【００２７】
押圧部材７５は、カラー７４ｂを介して回転可能に支持されたリール３を壁体部７６ｅに向けて押圧する壁体押圧部材であり、例えば、バネ等が挙げられる。本実施形態に係る押圧部材７５はバネ７５を用いるものとする。図４（ｂ）に示すように、入力側ギヤ７２が回転軸支部７６ａに挿入された後に、このバネ７５は、カラー７４ａ，７４ｂに挟み込まれた状態で位置固定部７６ｂに挿入される。
【００２８】
上記止め具材７３は、図４（ｂ）に示すように、位置固定部７６ｂに挿入されたカラー７４ａ，７４ｂ，バネ７５を、止め穴７６ｆに挿入されて抜止める。この止め具材７３で抜止められたバネ７５は、バネ７５が持つ反発力により、カラー７４ｂを介して入力側ギヤ７２を取付板８０の方向に押下し付ける。この作用により、バネ７５は、始動時又は停止時におけるリール３の面揺れが抑制される。
【００２９】
図５に示すように、入力側ギヤ７２には、平板状のギヤがある両面から垂直に突出され、その垂直な軸に沿って回転軸支部７６ａが挿入可能な挿入路を有する突出部７２ａ，７２ｂが一体に設けられている。一方の突出部７２ｂは、取付板８０に向けて回転軸支部７６ａに挿入される。他方の突出部７２ａは、リール３の中心部にある穴３４に圧入される。したがって、出力側ギヤ７１が回転することにより、リール３と入力側ギヤ７２とは、回転軸支部７６ａを中心として一体となって回転する。
【００３０】
図６は、入力側ギヤ７２の一部及びカラー７４ｂの変形例を示す図である。同図に示すように、押圧部材７５の外径よりも大きいカラー７４ｂが備えられてもよい。具体的には、カラー７４ｂは、押圧部材７５及びリール３の中心部にある穴３４を形成する壁の外径よりも大きく、当該穴３４の縁部と接触する位置に配備されている。このカラー７４ｂと穴３４の縁部との接触面Ａの径が図５に示すカラー７４ｂと穴３４の縁部との接触面の径よりも大きくなり、バネ７５が図５よりも大きな径を有する接触面Ａでリール３を押圧することにより、リール３の始動時及び停止時においてリール３の面揺れがより抑制される。
【００３１】
また、図６に示すように、壁体部７６ｅと接触する接触部材７２１ｂ（第二接触部材）が入力側ギヤ７２の一端に配備されてもよい。具体的には、接触部材７２１ｂ及び壁体部７６ｅは、押圧部材７５の外径よりも大きく、接触部材７２１ｂは、リールポスト７６が取り付けられる取付板８０側で壁体部７６ｅと接触する位置に配備されている。この壁体部７６ｅと接触部材７２１ｂとの接触面Ｂの径が図５に示す壁体部７６ｅと突出部７２ｂの縁部との接触面の径よりも大きくなり、バネ７５による反発力がリール３を介して図５よりも大きな径を有する接触面Ｂで受けられることにより、リール３の始動時及び停止時においてリール３の面揺れがより抑制される。
【００３２】
なお、上記変更例では、（ａ）カラー７４ｂの外径が押圧部材７５の外径よりも大きいこと、（ｂ）接触部材７２１ｂ及び壁体部７６ｅの外径が押圧部材７５の外径よりも大きいことが示されているが、（ａ）及び（ｂ）の双方が満たされることに限定されず、いずれか一方だけが満たされてもよい。
【００３３】
なお、本発明は上記実施形態に限定されるものではなく、下記に示す変更を加えることができる。本変更例は、上記実施形態に係るカラー７４ａ，７４ｂ及び押圧部材７５に替えて、フェルト７５１，座金７５２又はウェーブワッシャ７５３を備えている。
【００３４】
図７（ａ）は、フェルト７５１を上方から見た構成を示す図である。図７（ｂ）は、フェルト７５１及び座金７５２を配置する位置関係を示す図である。図７（ａ）及び（ｂ）に示すように、フェルト７５１は、円形の形状を有しており、止め具材７３の軸が挿入可能な穴が中心部に形成されている。
【００３５】
座金７５２は、円形の形状を有しており、止め具材７３の軸が挿入可能な穴が中心部に形成されている。また、座金７５２は、突出部７２ａ及びリール３の一部と接触可能な面を有している。
【００３６】
この場合には、座金７５２と穴３４の縁部との接触面の径が、図５に示す壁体部７６ｅと突出部７２ｂの縁部との接触面の径よりも大きくなり、フェルト７５１が図５よりも大きな径を有する接触面でリール３を押圧することにより、モータ駆動装置は、より効果的にリール３の面揺れを低減させることができる。
【００３７】
図８（ａ）は、ウェーブワッシャ７５３を上方から見た構成を示す図である。図８（ｂ）は、ウェーブワッシャ７５３を配置する位置関係を示す図である。図８（ａ）及び（ｂ）に示すように、ウェーブワッシャ７５３は、中心から外側に向かって波状の形状を有しており、止め具材７３が挿入可能な穴が中心部に形成されている。このウェーブワッシャ７５３は、突出部７２ａ及びリール３の一部と接触可能となる大きさを有している。
【００３８】
この場合には、ウェーブワッシャ７５３と穴３４との接触面の径が、図５に示す壁体部７６ｅと突出部７２ｂの縁部との接触面の径よりも大きくなり、ウェーブワッシャ７５３が図５よりも大きな径を有する接触面でリール３を押圧することにより、モータ駆動装置は、より効果的にリール３の面揺れを低減させることができる。
【００３９】
図９は、モータ駆動装置を含む回胴式遊技機１の電気的な構成を示すブロック図である。このモータ駆動装置は、複数の図柄を表示したリール３の駆動源としてステッピングモータ４９を備え、外部からの操作指示に応じてステッピングモータ４９を駆動させるものである。
【００４０】
図９に示すように、マイクロコンピュータには、制御、演算の主体であるメインＣＰＵ３１（モータ停止処理手段）と、プログラムや固定データが格納されるメインＲＯＭ３２と、データの読み書きに用いられるメインＲＡＭ３３と、所定の乱数値を発生させる乱数発生器（図示せず）とが備えられている。
【００４１】
上記メインＣＰＵ３１には、バス３８を介して、スタートレバー９の操作を検知するスタートスイッチ６Ｓ、停止ボタン７Ｌ，７Ｃ，７Ｒの操作を検知するリール停止信号回路４６、押しボタン操作により、クレジットされているメダルを賭けるためのＢＥＴスイッチ１１〜１３等の各入力部や、モータ駆動回路３９、ランプ駆動回路４５、ホッパー駆動回路４１、表示駆動回路４８等の各出力部が接続されている。
【００４２】
前記モータ駆動回路３９は、メインＣＰＵ３１からのコマンドに基づいて、ステッピングモータ４９を駆動又は停止させるものである。ここで、ステッピングモータ４９は、４相モータであり、Ａ相〜Ｄ相の駆動コイルを有する。また、各相は、本実施形態では、反時計回りにＡ相、Ｂ相、Ｃ相、Ｄ相の順になっている。更に、Ａ相及びＣ相、又はＢ相及びＤ相は、１対となっており、その１対となっている２つの相の一方の相には、他方の相に流れる電流とは逆の位相で電流が流れる。
【００４３】
このモータ駆動回路３９がメインＣＰＵ３１からのコマンドに基づいて各相の駆動コイルを順次励磁することにより、ステッピングモータ４９の内部にあるロータが回転駆動される。
【００４４】
（モータ駆動装置による作用及び効果）
このような本発明によれば、回転軸支部７６ａの一端には回転軸支部７６ａの長手方向に対して垂直方向に壁体部７６ｅが形成されており、回転軸支部７６ａの他端には回転可能に支持されたリール３を壁体部７６ｅに向けて押圧する押圧部７４０が備えられることにより、押圧部７４０がリール３の側方からリール３を押圧する力を加えるため、モータ駆動装置は、リール３の始動時及び停止時においてリール３の面揺れ（遊技者から見てリールが左右に揺れること）を抑制させることができる。
【００４５】
また、リール３又は入力側ギヤ７２の一部と接触するカラー７４ｂと、カラー７４ｂを介して回転可能に支持されたリール３を壁体部７６ｅに向けて押圧するバネ７５とが押圧部７４０に備えられることにより、カラー７４ｂがリール３又は入力側ギヤ７２に接触された状態で、バネ７５が当該カラー７４ｂを介してリール３の側方からリール３を押圧するため、モータ駆動装置は、リール３の始動時及び停止時においてリール３の面揺れをより抑制させることができる。
【００４６】
更に、カラー７４ｂの外径がバネ７５の外径よりも大きいことにより、バネ７５がリール３の中心軸に向けてリール３を押圧するとともに、当該バネ７５よりも大きいカラー７４ｂがリール３又は入力側ギヤ７２と接触するため、始動時又は停止時におけるリール３の安定性が更に増し、モータ駆動装置は、リール３の始動時及び停止時においてリール３の面揺れをより抑制させることができる。
【００４７】
また、入力側ギヤ７２の一端には壁体部７６ｅと接触する接触部材７２１ｂが形成されていることにより、壁体部７６ｅと接触部材７２１ｂとが常に接触しているため、始動時及び停止時におけるリール３の安定性が更に増し、モータ駆動装置は、リール３の始動時及び停止時においてリール３の面揺れをより抑制させることができる。
【００４８】
更に、接触部材７２１ｂ及び壁体部７６ｅの外径がバネ７５の外径よりも大きいことにより、バネ７５からの力が当該バネ７５よりも大きい接触部材７２１ｂ及び壁体部７６ｅで受けられるため、始動時及び停止時におけるリール３の安定性が更に増し、モータ駆動装置は、リール３の始動時及び停止時においてリール３の面揺れをより抑制させることができる。
【図面の簡単な説明】
【００４９】
【図１】本実施形態における回胴式遊技機を示す斜視図である。
【図２】本実施形態におけるリールを斜め方向から見た構成を示す斜視図である。
【図３】本実施形態におけるリールの側面を示す図である。
【図４】本実施形態における軸支部の構造を示す図である。
【図５】本実施形態における軸支部が取付板に取り付けられたときの構造を示す断面図である（その１）。
【図６】本実施形態における軸支部が取付板に取り付けられたときの構造を示す断面図である（その２）。
【図７】本実施形態における押圧部の変更例を示す図である（その１）。
【図８】本実施形態における押圧部の変更例を示す図である（その２）。
【図９】本実施形態における回動式遊技機の内部構造を示す図である。
【符号の説明】
【００５０】
１…回胴式遊技機、３…リール、４…投入口、５…パネル表示窓、６…入賞ライン、６Ｓ…スタートスイッチ、７…停止ボタン、８…トレイ、９…スタートレバー、１０…位置検出センサ、１１…検出片、１１〜１３…ＢＥＴスイッチ、３１…メインＣＰＵ、３２…メインＲＯＭ、３３…メインＲＡＭ、３４…穴、３６…筒状部材、３８…バス、３９…モータ駆動回路、４１…ホッパー駆動回路、４５…ランプ駆動回路、４６…リール停止信号回路、４８…表示駆動回路、４９…ステッピングモータ、７１…出力側ギヤ、７２…入力側ギヤ、７２ａ…突出部、７２ｂ…突出部、７３…止め具材、７４…カラー、７５…バネ、７５…押圧部材、７６…リールポスト、７６ａ…回転軸支部、７６ｂ…位置固定部、７６ｃ…突出部、７６ｄ…ネジ穴、７６ｅ…壁体部、７６ｆ…穴、８０…取付板、８１…穴、３２１…アーム、７００…減速伝達機構、７２０…軸支部、７２１ｂ…接触部材、７４０…押圧部、７５１…フェルト、７５２…座金、７５３…ウェーブワッシャ
【図１】
2005143833.tif 000003
【図２】
2005143833.tif 000004
【図３】
2005143833.tif 000005
【図４】
2005143833.tif 000006
【図５】
2005143833.tif 000007
【図６】
2005143833.tif 000008
【図７】
2005143833.tif 000009
【図８】
2005143833.tif 000010
【図９】
2005143833.tif 000011